(57)【要約】  この通信装置は、特に差し迫った危険をユーザに警告するために、重要メッセージを送信する可能性の高い送信側からのショート・メッセージのための受信機を含む。この構成は、ショート・メッセージ・タイプの接続を確立する手段（Ｍ１、Ｍ２）、そのような重要メッセージを知覚可能にする手段（１２、１３）、それらのメッセージの受信をユーザに示す手段、および端末がメッセージの緊急性を処理できるときは前記重要メッセージの受信の送達確認（Ｍ４）を送信側に提供する手段を含む。また、端末がメッセージの緊急性を処理できないとき、他のアクションも提案される。差し迫った危険の場合における警告メッセージの送出に適用可能。
2007511924.tif 000002
【特許請求の範囲】
【請求項１】
重要メッセージを送信する可能性の高い送信側から到来する情報のための受信機を含む通信装置であって、
前記重要メッセージを受信する手段と、
それらの受信をユーザに示す手段と、
前記示す手段が動作に移されたときに、前記重要メッセージの前記受信の送達確認（acknowledgement）を前記送信側に提供する手段と、
を含むことを特徴とする装置。
【請求項２】
前記受信の送達確認が送信されない場合は、前記送信側が他のアクションを考えられるようにするために、警告メッセージが送り返されることを特徴とする、請求項１に記載の装置。
【請求項３】
前記重要メッセージが、ＥＴＳＩ標準ＥＳ ２０１ ９１２との互換性を維持しながら送信されることを特徴とする、請求項１または２に記載の装置。
【請求項４】
重要メッセージ用のコードがＴＰ−ＤＣＳフィールドに格納されることを特徴とする、請求項３に記載の装置。
【請求項５】
前記重要メッセージのテキストがＴＰ−ＵＤフィールドに格納されることを特徴とする、請求項３または４に記載の装置。
【請求項６】
請求項１から５のいずれか一項に記載の装置によって扱われ、送信側から到来する重要情報を、メッセージ送出センタを使用して送信する方法であって、
ショート・メッセージ・タイプの接続を確立するステップと、
その重要性を示す指示を有するメッセージをショート・メッセージ・センタから送信するステップと、
前記装置から到来する受信の送達確認を受信するステップと、
ショート・メッセージ・タイプの接続を解放するステップと、
を含むことを特徴とする方法。
【請求項７】
受信の送達確認が受信されない場合は、他のアクションをとることのできるように、前記送信側が警告されることを特徴とする、請求項６に記載の方法。
【請求項８】
前記メッセージが、ＥＴＳＩ標準ＥＳ ２０１ ９１２と互換性のあることを特徴とする、請求項６に記載の方法。
【請求項９】
請求項６から８のいずれか一項に記載の方法を使用する、重要メッセージを送信するためのシステムであって、
重要メッセージを複数のユーザに送出することが可能な、重要メッセージを送出するためのセンタを含むことを特徴とするシステム。
【発明の詳細な説明】
【技術分野】
【０００１】
本発明は、重要メッセージを送信する可能性の高い送信側から到来する情報のための受信機を備える通信装置に関する。
【０００２】
本発明はまた、この種の情報を送信する方法、およびこの種の方法が使用されるシステムに関する。
【背景技術】
【０００３】
本発明は、特に、装置が移動電話などである有線またはセルラー電話（cellular telephone）ネットワークの分野において、かなり多くの用途がある。これらの移動電話（mobile telephone）はそれぞれ、様々な種類の情報、および特に書かれたメッセージを受信するための受信機を備えている。実際に起こるのは、重要メッセージは、差し迫った危険について、あるいは緊急性の何らかの通知（たとえば心臓病の緊急事態に対して規定されたある地区にいるすべての医師の呼出し、町のボランティア山岳レスキュー隊員の呼出しなど）について警告するために、迅速かつ確実に一群のユーザに送信する必要がある緊急メッセージであることである。
【発明の開示】
【発明が解決しようとする課題】
【０００４】
特許文献ＤＥ２０１ ０７ ７２５Ｕ１より、そのようなメッセージが送信されることは知られているが、当該の情報が送信される方法に関しては述べられていない。
【課題を解決するための手段】
【０００５】
本発明は、そのような重要メッセージが受信され処理されることを可能にするステップが実施される、冒頭の段落で述べた種類の装置を提案する。
【０００６】
この種の受信機は、前記重要メッセージを受信する手段、それらの受信をユーザに示す手段、および前記示す手段が動作に移されたときに前記重要メッセージの受信の送達確認（acknowledgement）を送信側に提供する手段を含むという点で重要である。
【０００７】
本発明の他の目的は、ＥＴＳＩ標準ＥＳ ２０１ ９１２との互換性を維持しながら、そのような重要メッセージを送信することである。このようにして送信されるショート・メッセージは、一般にＳＭＳメッセージと呼ばれる。
【０００８】
上記の装置によって扱われ、送信側から到来する重要情報を、メッセージ送出センタを使用して送信する方法が、
ショート・メッセージ・タイプの接続を確立するステップと、
その重要性を示す指示を有するメッセージをショート・メッセージ・センタから送信するステップと、
前記装置から到来する受信の送達確認を受信するステップと、
ショート・メッセージ・タイプの接続を解放するステップと、
を含む点で重要である。
【０００９】
本発明の以上およびその他の諸態様は、本明細書の以降に記載される制限のない諸実施形態から理解され、それらを参照すれば明らかとなろう。
【発明を実施するための最良の形態】
【００１０】
図１に、本発明による、ＧＳＭタイプのセルラー電話ネットワークに関与するシステムが示されている。示されているのは、複数の移動局と通信することが可能な基地局１である。この図では、２つの移動局、すなわち移動局２および３だけが示されている。各移動局２および３は、それぞれ画面１２および１３を有し、ＳＭＳタイプのメッセージが表示され得る。また、これらのメッセージは、ユーザが合成的に生成された音声を聞くことによって知覚もされ得、また、たとえば特定の呼出し音、点滅するＬＥＤ、または画面表示の映像の交互反転によって示され得る。
【００１１】
本発明は、以下のタイプの例において適用可能である。市当局が、自分の地域で起こりそうな洪水の警告を受けたとき、上記のＳＭＳタイプのメッセージを使用して、この地域の住民に通知する。言うまでもなく、メッセージがそれらの宛先の受信者によって実際に受信されたかどうか調べるためにチェックされることが重要である。受信されていない場合、その重要メッセージが宛てられた住民に警告を出すために、拡声器の備え付けられた車両を送出し、または、さらに、差し迫る危険を警告するために、サイレンを動作させるなど、他のステップを実施する必要が生じることになる。
【００１２】
諸実施例によって指示されているように、本発明は、上記の標準によって提供される可能性を利用する。これは、図２に示されているものである。
【００１３】
図２では、現在関係する様々なメッセージが、ＳＭＳＣ（ショート・メッセージ・サービス・センタ）およびＳＭＴＥ（ショート・メッセージ端末装置の製品、つまりユーザがもつ移動局）の間で交換されている。ＳＭＳＣとＳＭＴＥの間で交換される最初のメッセージＭ１は、識別メッセージＣＬ１である。次いで、メッセージＭ２によって、ＳＭＳ（ショート・メッセージ）のための接続が確立される。メッセージ・センタは、緊急タイプのメッセージＭ３を送信する。標準に従い、緊急性がフィールドＴＰ−ＤＳＣで明記され、メッセージのテキストがフィールドＴＰ−ＵＤで指定される。端末が適切な方法で動作して緊急性のメッセージを処理できるときは、特定の受信の送達確認、すなわち端末が緊急事態を処理していることを示すＴＰ−ＵＤを含むメッセージＭ４が送出され、最後にメッセージＭ５によってＳＭＳ接続が解放される。
【図面の簡単な説明】
【００１４】
【図１】本発明が有益に利用される送信システムを示す図である。
【図２】図１のシステムにおいて実施される本発明の方法を説明する図である。
【図１】
2007511924.tif 000003
【図２】
2007511924.tif 000004
【手続補正書】
【提出日】平成18年3月31日(2006.3.31)
【手続補正１】
【補正対象書類名】明細書
【補正対象項目名】００１１
【補正方法】変更
【補正の内容】
【００１１】
本発明は、以下のタイプの例において適用可能である。市当局が、自分の地域で起こりそうな洪水の警告を受けたとき、上記のＳＭＳタイプのメッセージを使用して、この地域の住民に通知する。言うまでもなく、メッセージがそれらの宛先の受信者によって実際に受信されたかどうか調べるためにチェックされることが重要である。受信されていない場合、自動音声警告機構を用いた音声呼出しを開始するなど、他のステップを実施する必要が生じることになる。その重要メッセージが宛てられた住民に警告を出すために、拡声器の備え付けられた車両の送出してもよい。さらに、差し迫る危険を警告するために、サイレンを動作させることも可能である。
【手続補正２】
【補正対象書類名】明細書
【補正対象項目名】００１３
【補正方法】変更
【補正の内容】
【００１３】
図２では、現在関係する様々なメッセージが、ＳＭＳＣ（ショート・メッセージ・サービス・センタ）およびＳＭＴＥ（ショート・メッセージ端末装置の製品、つまりユーザがもつ移動局）の間で交換されている。ＳＭＳＣとＳＭＴＥの間で交換される最初のメッセージＭ１は、識別メッセージＣＬ１である。次いで、メッセージＭ２によって、ＳＭＳ（ショート・メッセージ）のための接続が確立される。メッセージ・センタは、緊急タイプのメッセージＭ３を送信する。標準に従い、現在予約済みの値を使用して緊急性がフィールドＴＰ−ＤＳＣ（ＤＳＣ＝データ符号化スキーム）で明記され、メッセージのテキストがフィールドＴＰ−ＵＤで指定される。端末が適切な方法で動作して緊急性のメッセージを処理できるときは、特定の受信の送達確認、すなわち端末が緊急事態を処理していることを示すＴＰ−ＵＤを含むメッセージＭ４が送出され、最後にメッセージＭ５によってＳＭＳ接続が解放される。このようにして、現在既存の端末が緊急メッセージを通常のＳＭＳメッセージとして受信し、ただし、それらの端末は緊急メッセージに送達確認しないので、当局は、宛先に再度何らかの他の手段で連絡を試みなければならないという情報を有することになる。
【国際調査報告】
2007511924.tif 000005
2007511924.tif 000006
2007511924.tif 000007